(57)【特許請求の範囲】
【請求項１】
電気泳動ディスプレイのピクセルをリセットする駆動方法であって、前記電気泳動ディスプレイは、視認側の第１の表面と、非視認側の第２の表面と、第１の光透過性電極と第２の電極との間に配置された電気泳動流体とを備え、前記電気泳動流体は、第１のタイプの粒子、第２のタイプの粒子、第３のタイプの粒子、および第４のタイプの粒子を備え、それらの全ては、溶媒中に分散させられており、
（ａ）前記４つのタイプの顔料粒子は、異なる光学特性を有し、
（ｂ）前記第１のタイプの粒子および前記第３のタイプの粒子は、正電荷を帯びており、前記第１のタイプの粒子は、前記第３の粒子より大きい正電荷の規模を有し、
（ｃ）前記第２のタイプの粒子および前記第４のタイプの粒子は、負電荷を帯びており、前記第２のタイプの粒子は、前記第４の粒子より大きい負電荷の規模を有し、
前記リセットする方法は、
（ｉ）第１の振幅において第１の期間にわたって第１の駆動電圧を前記電気泳動ディスプレイの前記ピクセルに印加し、前記視認側において前記第１または第２のタイプの粒子の色状態に前記ピクセルを駆動するステップと、
（ｉｉ）第２の期間にわたって第２の駆動電圧を前記電気泳動ディスプレイの前記ピクセルに印加するステップであって、前記第２の駆動電圧は、前記第１の駆動電圧の極性と反対の極性を有し、前記第２の駆動電圧が前記第２のタイプの粒子の色状態に向かって前記ピクセルを駆動するときに、前記第２の期間は、前記視認側において前記ピクセルを前記第２のタイプの粒子のみの色状態に駆動するために十分に長くないか、または、前記第１の駆動電圧が前記ピクセルを前記第２のタイプの粒子の色状態に駆動するときに、前記第２の期間は、前記視認側において前記ピクセルを前記第１のタイプの粒子のみの色状態に駆動するために十分に長くなく、それにより、前記第１のタイプの粒子および前記第２のタイプの粒子の混合が前記視認側において見える、ステップと、
（ｉｉｉ）振動波形を印加し、それにより、所望の色状態に駆動するために前記ピクセルをリセットするステップと
を含む、駆動方法。
【請求項２】
前記第１の駆動電圧および前記第２の駆動電圧は、同一の振幅を有する、請求項１に記載の駆動方法。
【請求項３】
前記振動波形は、１５Ｖの大きさかつ２０ミリ秒の持続時間の反対駆動パルスの繰り返しの５０個の対からなる、請求項１に記載の駆動方法。
【発明の詳細な説明】
【技術分野】
【０００１】
本発明は、各ピクセルが４つの高品質色状態を表示し得るカラーディスプレイデバイスのための駆動方法を対象とする。
【背景技術】
【０００２】
カラーディスプレイを達成するために、カラーフィルタが、多くの場合、使用される。最も一般的なアプローチは、赤、緑、および青色を表示するために、ピクセル化ディスプレイの黒／白色サブピクセルの上にカラーフィルタを追加することである。赤色が所望されるとき、表示される唯一の色が赤であるように、緑および青色サブピクセルが黒色状態に変えられる。青色が所望されるとき、表示される唯一の色が青であるように、緑および赤色サブピクセルが黒色状態に変えられる。緑色が所望されるとき、表示される唯一の色が緑であるように、赤および青色サブピクセルが黒色状態に変えられる。黒色状態が所望されるとき、３つ全てのサブピクセルが黒色状態に変えられる。白色状態が所望されるとき、３つのサブピクセルは、それぞれ、赤、緑、および青に変えられ、結果として、白色状態が視認者によって見られる。
【０００３】
そのような技法の最大の不利点は、サブピクセルの各々が、所望の白色状態の約３分の１の反射率を有するので、白色状態が極めて薄暗いことである。これを補うために、白色レベルが、赤、緑、または青色レベルを犠牲にして倍増されるように、黒色および白色状態のみを表示できる第４のサブピクセルが追加され得る（各サブピクセルは、ピクセルの面積のわずか４分の１である）。このアプローチを用いても、白色レベルは、通常、白黒ディスプレイのレベルのそれの実質的に半分未満であり、十分に読みやすい白黒明度およびコントラストを必要とする電子書籍リーダまたはディスプレイ等のディスプレイデバイスのために、それを許容できない選択にする。
【発明の概要】
【課題を解決するための手段】
【０００４】
本発明の第１の側面は、視認側の第１の表面と、非視認側の第２の表面と、電気泳動流体とを備えている電気泳動ディスプレイのための駆動方法を対象とし、電気泳動流体は、共通電極とピクセル電極の層との間に挟まれ、全てが溶媒または溶媒混合物中に分散させられた第１のタイプの粒子、第２のタイプの粒子、第３のタイプの粒子、および第４のタイプの粒子を備え、
（ａ）４つのタイプの顔料粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
方法は、以下のステップ：
（ｉ）第１の期間にわたって第１の駆動電圧を電気泳動ディスプレイ内のピクセルに印加し、視認側において第１または第２のタイプの粒子の色状態に向かってピクセルを駆動するステップと、
（ｉｉ）第２の期間にわたって第２の駆動電圧をピクセルに印加することにより、視認側において、第１のタイプの粒子の色状態から第４のタイプの粒子の色状態に向かってピクセルを駆動すること、または第２のタイプの粒子の色状態から第３のタイプの粒子の色状態に向かってピクセルを駆動することを行うステップと
を含み、
第２の駆動電圧は、第１の駆動電圧のそれと反対の極性を有し、第１の駆動電圧のそれより低い振幅を有する。
【０００５】
本発明の第２の側面は、視認側の第１の表面と、非視認側の第２の表面と、電気泳動流体とを備えている電気泳動ディスプレイのための駆動方法を対象とし、電気泳動流体は、共通電極とピクセル電極の層との間に挟まれ、全てが溶媒または溶媒混合物中に分散させられた第１のタイプの粒子、第２のタイプの粒子、第３のタイプの粒子、および第４のタイプの粒子を備え、
（ａ）４つのタイプの顔料粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
方法は、以下のステップ：
（ｉ）第１の期間にわたって第１の駆動電圧を電気泳動ディスプレイ内のピクセルに印加し、視認側において第１または第２のタイプの粒子の色状態に向かってピクセルを駆動するステップと、
（ｉｉ）第２の期間にわたって第２の駆動電圧をピクセルに印加することにより、視認側において、第１のタイプの粒子の色状態から第４のタイプの粒子の色状態に向かって、ピクセルを駆動すること、または第２のタイプの粒子の色状態から第３のタイプの粒子の色状態に向かってピクセルを駆動することを行うステップであって、第２の期間は、第１の期間より長く、第２の駆動電圧は、第１の駆動電圧のそれと反対の極性を有し、第２の駆動電圧は、第１の駆動電圧のそれより低い振幅を有する、ステップと、
ステップ（ｉ）および（ｉｉ）を繰り返すステップと
を含む。
【０００６】
本発明の第３の側面は、視認側の第１の表面と、非視認側の第２の表面と、電気泳動流体とを備えている電気泳動ディスプレイのための駆動方法を対象とし、電気泳動流体は、共通電極とピクセル電極の層との間に挟まれ、全てが溶媒または溶媒混合物中に分散させられた第１のタイプの粒子、第２のタイプの粒子、第３のタイプの粒子、および第４のタイプの粒子を備え、
（ａ）４つのタイプの顔料粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
方法は、以下のステップ：
（ｉ）第１の期間にわたって第１の駆動電圧を電気泳動ディスプレイ内のピクセルに印加し、視認側において第１のタイプまたは第２のタイプの粒子の色状態に向かってピクセルを駆動するステップと、
（ｉｉ）第２の期間にわたって第２の駆動電圧をピクセルに印加することにより、視認側において、第１のタイプの粒子の色状態から第４のタイプの粒子の色状態に向かってピクセルを駆動すること、または第２のタイプの粒子の色状態から第３のタイプの粒子の色状態に向かってピクセルを駆動することを行うステップであって、第２の期間は、第１の期間より長く、第２の駆動電圧は、第１の駆動電圧のそれと反対の極性を有し、第２の駆動電圧は、第１の駆動電圧のそれより低い振幅を有する、ステップと、
（ｉｉｉ）第３の期間にわたっていかなる駆動電圧もピクセルに印加しないステップと、
ステップ（ｉ）−（ｉｉｉ）を繰り返すステップと
を含む。
【０００７】
本発明の第４の側面は、視認側の第１の表面と、非視認側の第２の表面と、電気泳動流体とを備えている電気泳動ディスプレイのための駆動方法を対象とし、電気泳動流体は、共通電極とピクセル電極の層との間に挟まれ、全てが溶媒または溶媒混合物中に分散させられた第１のタイプの粒子、第２のタイプの粒子、第３のタイプの粒子、および第４のタイプの粒子を備え、
（ａ）４つのタイプの顔料粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
方法は、以下のステップ：
（ｉ）第１の期間にわたって第１の駆動電圧を電気泳動ディスプレイ内のピクセルに印加し、視認側において第１のタイプまたは第２のタイプの粒子の色状態に向かってピクセルを駆動するステップと、
（ｉｉ）第２の期間にわたっていかなる駆動電圧もピクセルに印加しないステップと、
（ｉｉｉ）第３の期間にわたって第２の駆動電圧をピクセルに印加することにより、視認側において、第１のタイプの粒子の色状態から第４のタイプの粒子の色状態に向かってピクセルを駆動すること、または第２のタイプの粒子の色状態から第３のタイプの粒子の色状態に向かってピクセルを駆動することを行うステップであって、第３の期間は、第１の期間より長く、第２の駆動電圧は、第１の駆動電圧のそれと反対の極性を有し、第２の駆動電圧は、第１の駆動電圧のそれより低い振幅を有する、ステップと、
（ｉｖ）第４の期間にわたっていかなる駆動電圧もピクセルに印加しないステップと、
ステップ（ｉ）−（ｉｖ）を繰り返すステップと
を含む。
【０００８】
本発明の第４の側面は、以下のステップ：
（ｖ）第５の期間にわたって第３の駆動電圧をピクセルに印加するステップであって、第３の駆動電圧は、第１の駆動電圧のそれと同一の極性を有する、ステップと、
（ｖｉ）第６の期間にわたって第４の駆動電圧をピクセルに印加し、視認側において、第１のタイプの粒子の色状態から第４のタイプの粒子の色状態に向かってピクセルを駆動すること、または第２のタイプの粒子の色状態から第３のタイプの粒子の色状態に向かって、ピクセルを駆動することを行うステップであって、第５の期間は、第６の期間より短く、第４の駆動電圧は、第１の駆動電圧のそれと反対の極性を有する、ステップと、
（ｖｉｉ）第７の期間にわたっていかなる駆動電圧もピクセルに印加しないステップと、
ステップ（ｖ）−（ｖｉｉ）を繰り返すステップと
をさらに含み得る。
本明細書は、例えば、以下の項目も提供する。
（項目１）
電気泳動ディスプレイのピクセルを駆動する駆動方法であって、前記電気泳動ディスプレイは、視認側の第１の表面と、非視認側の第２の表面と、第１の光透過性電極と第２の電極との間に配置された電気泳動流体を備え、前記電気泳動流体は、第１のタイプの粒子、第２のタイプの粒子、第３のタイプの粒子、および第４のタイプの粒子を備え、それらの全ては、溶媒中に分散させられており、
（ａ）前記４つのタイプの顔料粒子は、異なる光学特性を有し、
（ｂ）前記第１のタイプの粒子および前記第３のタイプの粒子は、正電荷を帯びており、前記第１のタイプの粒子は、前記第３の粒子より大きい正電荷の規模を有し、
（ｃ）前記第２のタイプの粒子および前記第４のタイプの粒子は、負電荷を帯びており、前記第２のタイプの粒子は、前記第４の粒子より大きい負電荷の規模を有し、
前記方法は、
（ｉ）第１の振幅において第１の期間にわたって第１の駆動電圧を前記電気泳動ディスプレイの前記ピクセルに印加し、前記視認側において前記第１または第２のタイプの粒子の色状態に前記ピクセルを駆動するステップと、
（ｉｉ）第２の期間にわたって第２の駆動電圧を前記電気泳動ディスプレイの前記ピクセルに印加することにより、前記視認側において、前記第１のタイプの粒子の色状態から前記第４のタイプの粒子の色状態に向かって前記ピクセルを駆動すること、または、前記第２のタイプの粒子の色状態から前記第３のタイプの粒子の色状態に向かって前記ピクセルを駆動することを行うステップと
を含み、
前記第２の駆動電圧は、前記第１の駆動電圧のそれと反対の極性を有し、前記第１の振幅のそれより小さい第２の振幅を有する、駆動方法。
（項目２）
ステップ（ｉｉ）における前記第２の期間は、ステップ（ｉ）における前記第１の期間より長い、項目１に記載の駆動方法。
（項目３）
ステップ（ｉ）および（ｉｉ）を繰り返すことをさらに含む、項目１に記載の駆動方法。
（項目４）
ステップ（ｉ）および（ｉｉ）は、少なくとも８回繰り返される、項目３に記載の駆動方法。
（項目５）
（ｉｉｉ）第３の期間にわたっていかなる駆動電圧も前記ピクセルに印加しないステップをさらに含む、項目１に記載の駆動方法。
（項目６）
ステップ（ｉ）−（ｉｉｉ）を繰り返すことをさらに含む、項目５に記載の駆動方法。
（項目７）
前記第２の駆動電圧の前記振幅は、前記第１の駆動電圧の前記振幅の５０％未満である、項目１に記載の駆動方法。
（項目８）
前記第３の粒子の前記正電荷の規模は、前記第１の粒子の前記正電荷の規模の５０％未満である、項目１に記載の駆動方法。
（項目９）
前記第４の粒子の前記負電荷の規模は、前記第２の粒子の前記負電荷の規模の７５％である、項目１に記載の駆動方法。
（項目１０）
ステップ（ｉ）の前、振動波形を伴う電圧を前記ピクセルに印加することをさらに含む、項目１に記載の駆動方法。
（項目１１）
電気泳動ディスプレイのピクセルを駆動する駆動方法であって、前記電気泳動ディスプレイは、視認側の第１の表面と、非視認側の第２の表面と、第１の光透過性電極と第２の電極との間に配置された電気泳動流体とを備え、前記電気泳動流体は、第１のタイプの粒子、第２のタイプの粒子、第３のタイプの粒子、および第４のタイプの粒子を備え、それらの全ては、溶媒中に分散させられており、
（ａ）前記４つのタイプの顔料粒子は、異なる光学特性を有し、
（ｂ）前記第１のタイプの粒子および前記第３のタイプの粒子は、正電荷を帯びており、前記第１のタイプの粒子は、前記第３の粒子より大きい正電荷の規模を有し、
（ｃ）前記第２のタイプの粒子および前記第４のタイプの粒子は、負電荷を帯びており、前記第２のタイプの粒子は、前記第４の粒子より大きい負電荷の規模を有し、
前記方法は、
（ｉ）第１の振幅において第１の期間にわたって第１の駆動電圧を前記電気泳動ディスプレイの前記ピクセルに印加し、前記視認側において前記第１または第２のタイプの粒子の色状態にピクセルを駆動するステップと、
（ｉｉ）第２の期間にわたっていかなる駆動電圧も前記ピクセルに印加しないステップと、
（ｉｉｉ）第３の期間にわたって第２の駆動電圧を前記電気泳動ディスプレイの前記ピクセルに印加することにより、前記視認側において、前記第１のタイプの粒子の色状態から前記第４のタイプの粒子の色状態に向かって前記ピクセルを駆動すること、または、前記第２のタイプの粒子の色状態から前記第３のタイプの粒子の色状態に向かって前記ピクセルを駆動することを行うステップであって、前記第２の駆動電圧は、前記第１の駆動電圧のそれと反対の極性を有し、前記第１の振幅のそれより小さい第２の振幅を有する、ステップと、
（ｉｖ）第４の期間にわたっていかなる駆動電圧も前記ピクセルに印加しないステップと
を含む、駆動方法。
（項目１２）
ステップ（ｉｉｉ）における前記第３の期間は、ステップ（ｉ）における前記第１の期間より長い、項目１１に記載の駆動方法。
（項目１３）
ステップ（ｉ）−（ｉｖ）を繰り返すことをさらに含む、項目１１に記載の駆動方法。
（項目１４）
前記第２の駆動電圧の前記振幅は、前記第１の駆動電圧の前記振幅の５０％未満である、項目１１に記載の駆動方法。
（項目１５）
前記第３の粒子の前記正電荷の規模は、前記第１の粒子の前記正電荷の規模の５０％未満である、項目１１に記載の駆動方法。
（項目１６）
前記第４の粒子の前記負電荷の規模は、前記第２の粒子の前記負電荷の規模の７５％である、項目１１に記載の駆動方法。
（項目１７）
ステップ（ｉ）の前、振動波形を伴う電圧を前記ピクセルに印加することをさらに含む、項目１１に記載の駆動方法。
（項目１８）
以下のステップ：
（ｖ）第５の期間にわたって第３の駆動電圧を前記ピクセルに印加するステップであって、前記第３の駆動電圧は、前記第１の駆動電圧のそれと同一の極性を有する、ステップと、
（ｖｉ）第６の期間にわたって第４の駆動電圧をピクセルに印加することにより、前記視認側において、前記第１のタイプの粒子の色状態から前記第４のタイプの粒子の色状態に向かって前記ピクセルを駆動すること、または、前記第２のタイプの粒子の色状態から前記第３のタイプの粒子の色状態に向かって前記ピクセルを駆動することを行うステップであって、前記第５の期間は、前記第６の期間より短く、前記第４の駆動電圧は、前記第１の駆動電圧のそれと反対の極性を有する、ステップと、
（ｖｉｉ）第７の期間にわたっていかなる駆動電圧もピクセルに印加しないステップと
をさらに含む、項目１１に記載の駆動方法。
（項目１９）
前記第３の駆動電圧および前記第４の駆動電圧の両方の前記振幅は、前記第１の駆動電圧の前記振幅の５０％未満である、項目１８に記載の駆動方法。
（項目２０）
電気泳動ディスプレイのピクセルを駆動する駆動方法であって、前記電気泳動ディスプレイは、視認側の第１の表面と、非視認側の第２の表面と、第１の光透過性電極と第２の電極との間に配置された電気泳動流体とを備え、前記電気泳動流体は、第１のタイプの粒子、第２のタイプの粒子、第３のタイプの粒子、および第４のタイプの粒子を備え、それらの全ては、溶媒中に分散させられており、
（ａ）前記４つのタイプの顔料粒子は、異なる光学特性を有し、
（ｂ）前記第１のタイプの粒子および前記第３のタイプの粒子は、正電荷を帯びており、前記第１のタイプの粒子は、前記第３の粒子より大きい正電荷の規模を有し、
（ｃ）前記第２のタイプの粒子および前記第４のタイプの粒子は、負電荷を帯びており、前記第２のタイプの粒子は、前記第４の粒子より大きい負電荷の規模を有し、
前記方法は、
（ｉ）第１の振幅において第１の期間にわたって第１の駆動電圧を前記電気泳動ディスプレイの前記ピクセルに印加し、前記視認側において前記第１または第２のタイプの粒子の色状態に前記ピクセルを駆動するステップと、
（ｉｉ）第２の期間にわたって第２の駆動電圧を前記電気泳動ディスプレイの前記ピクセルに印加するステップであって、前記第２の駆動電圧は、前記第１の駆動電圧のそれと反対の極性を有し、前記第１の振幅のそれより小さい第２の振幅を有し、前記第２の期間は、前記視認側において前記ピクセルを前記第２のタイプの粒子の色状態に駆動するために十分に長くないか、または、前記第１の駆動電圧が前記ピクセルを前記第２のタイプの粒子の色状態に駆動するとき、前記第２の期間は、前記視認側において前記ピクセルを前記第１のタイプの粒子の色状態に駆動するために十分に長くない、ステップと、
（ｉｉｉ）振動波形を印加するステップと
を含む、駆動方法。
【図面の簡単な説明】
【０００９】
【図１】図１は、４つの異なる色状態を表示することが可能なディスプレイ層を描写する。
【図２−１】図２−１から２−３は、本発明の実施例を図示する。
【図２−２】図２−１から２−３は、本発明の実施例を図示する。
【図２−３】図２−１から２−３は、本発明の実施例を図示する。
【図３】図３は、駆動方法に組み込まれ得る振動波形を示す。
【図４】図４および５は、本発明の第１の駆動方法を図示する。
【図５】図４および５は、本発明の第１の駆動方法を図示する。
【図６】図６および９は、本発明の第２の駆動方法を図示する。
【図７】図７、８、１０、および１１は、本発明の第２の駆動方法を利用する駆動シーケンスを示す。
【図８】図７、８、１０、および１１は、本発明の第２の駆動方法を利用する駆動シーケンスを示す。
【図９】図６および９は、本発明の第２の駆動方法を図示する。
【図１０】図７、８、１０、および１１は、本発明の第２の駆動方法を利用する駆動シーケンスを示す。
【図１１】図７、８、１０、および１１は、本発明の第２の駆動方法を利用する駆動シーケンスを示す。
【図１２】図１２および１５は、本発明の第３の駆動方法を図示する。
【図１３】図１３、１４、１６、および１７は、本発明の第３の駆動方法を利用する駆動シーケンスを示す。
【図１４】図１３、１４、１６、および１７は、本発明の第３の駆動方法を利用する駆動シーケンスを示す。
【図１５】図１２および１５は、本発明の第３の駆動方法を図示する。
【図１６】図１３、１４、１６、および１７は、本発明の第３の駆動方法を利用する駆動シーケンスを示す。
【図１７】図１３、１４、１６、および１７は、本発明の第３の駆動方法を利用する駆動シーケンスを示す。
【図１８】図１８および２１は、本発明の第４の駆動方法を図示する。
【図１９】図１９、２０、２２、および２３は、本発明の第４の駆動方法を利用する駆動シーケンスを示す。
【図２０】図１９、２０、２２、および２３は、本発明の第４の駆動方法を利用する駆動シーケンスを示す。
【図２１】図１８および２１は、本発明の第４の駆動方法を図示する。
【図２２】図１９、２０、２２、および２３は、本発明の第４の駆動方法を利用する駆動シーケンスを示す。
【図２３】図１９、２０、２２、および２３は、本発明の第４の駆動方法を利用する駆動シーケンスを示す。
【図２４】図２４および２７は、本発明の第５の駆動方法を図示する。
【図２５】図２５、２６、２８、および２９は、本発明の第５の駆動方法を利用する駆動シーケンスを示す。
【図２６】図２５、２６、２８、および２９は、本発明の第５の駆動方法を利用する駆動シーケンスを示す。
【図２７】図２４および２７は、本発明の第５の駆動方法を図示する。
【図２８】図２５、２６、２８、および２９は、本発明の第５の駆動方法を利用する駆動シーケンスを示す。
【図２９】図２５、２６、２８、および２９は、本発明の第５の駆動方法を利用する駆動シーケンスを示す。
【図３０】図３０は、本発明の駆動方法を図示する。
【図３１】図３１は、本発明の代替駆動方法を図示する。
【発明を実施するための形態】
【００１０】
本発明に関係する電気泳動流体は、２対の逆荷電粒子を備えている。第１の対は、第１のタイプの正粒子および第１のタイプの負粒子から成り、第２の対は、第２のタイプの正粒子および第２のタイプの負粒子から成る。
【００１１】
２対の逆荷電粒子において、一方の対は、他方の対より強い電荷を帯びる。したがって、４つのタイプの粒子は、高正粒子、高負粒子、低正粒子、および低負粒子とも称され得る。
【００１２】
図１に示される例として、黒色粒子（Ｋ）および黄色粒子（Ｙ）は、第１の対の逆荷電粒子であり、この対では、黒色粒子は、高正粒子であり、黄色粒子は、高負粒子である。赤色粒子（Ｒ）および白色粒子（Ｗ）は、第２の対の逆荷電粒子であり、この対では、赤色粒子は、低正粒子であり、白色粒子は、低負粒子である。
【００１３】
示されていない別の実施例では、黒色粒子は、高正粒子であり得、黄色粒子は、低正粒子であり得、白色粒子は、低負粒子であり得、赤色粒子は、高負粒子であり得る。
【００１４】
加えて、４つのタイプの粒子の色状態は、意図的に混合され得る。例えば、黄色顔料が、本質的に、多くの場合、緑色がかかった色合いを有するので、より良好な黄色状態が所望される場合、黄色粒子および赤色粒子が、使用され得、両方のタイプの粒子は、同一の電荷極性を帯び、黄色粒子が、赤色粒子より高く帯電している。結果として、黄色状態において、黄色状態により良好な色純度を持たせるために、緑色がかかった黄色粒子と混合された少量の赤色粒子が存在するであろう。
【００１５】
本発明の範囲は、４つのタイプの粒子が視覚的に区別可能な色である限り、任意の色の粒子を広く包含することを理解されたい。
【００１６】
白色粒子に関して、それらは、ＴｉＯ２、ＺｒＯ２、ＺｎＯ、Ａｌ２Ｏ３、Ｓｂ２Ｏ３、ＢａＳＯ４、ＰｂＳＯ４等の無機顔料から形成され得る。
【００１７】
黒色粒子に関して、それらは、ＣＩ顔料黒色２６または２８等（例えば、マンガンフェライトブラックスピネルまたは銅クロマイトブラックスピネル）、またはカーボンブラックから形成され得る。
【００１８】
非白色および非黒色の粒子は、赤、緑、青、マゼンタ、シアン、または黄色等の色と無関係である。色粒子のための顔料は、限定ではないが、ＣＩ顔料ＰＲ２５４、ＰＲ１２２、ＰＲ１４９、ＰＧ３６、ＰＧ５８、ＰＧ７、ＰＢ２８、ＰＢ１５：３、ＰＹ８３、ＰＹ１３８、ＰＹ１５０、ＰＹ１５５、またはＰＹ２０を含み得る。これらは、カラーインデックスハンドブック「Ｎｅｗ  Ｐｉｇｍｅｎｔ  Ａｐｐｌｉｃａｔｉｏｎ  Ｔｅｃｈｎｏｌｏｇｙ）（ＣＭＣ  Ｐｕｂｌｉｓｈｉｎｇ  Ｃｏ，Ｌｔｄ，１９８６）および「Ｐｒｉｎｔｉｎｇ  Ｉｎｋ  Ｔｅｃｈｎｏｌｏｇｙ」（ＣＭＣ  Ｐｕｂｌｉｓｈｉｎｇ  Ｃｏ，Ｌｔｄ，１９８４）で説明される一般的に使用される有機顔料である。具体的例は、Ｃｌａｒｉａｎｔ  Ｈｏｓｔａｐｅｒｍ  Ｒｅｄ  Ｄ３Ｇ  ７０−ＥＤＳ、Ｈｏｓｔａｐｅｒｍ  Ｐｉｎｋ  Ｅ−ＥＤＳ、ＰＶ  ｆａｓｔ  ｒｅｄ  Ｄ３Ｇ、Ｈｏｓｔａｐｅｒｍ  ｒｅｄ  Ｄ３Ｇ  ７０、Ｈｏｓｔａｐｅｒｍ  Ｂｌｕｅ  Ｂ２Ｇ−ＥＤＳ、Ｈｏｓｔａｐｅｒｍ  Ｙｅｌｌｏｗ  Ｈ４Ｇ−ＥＤＳ、Ｎｏｖｏｐｅｒｍ  Ｙｅｌｌｏｗ  ＨＲ−７０−ＥＤＳ、Ｈｏｓｔａｐｅｒｍ  Ｇｒｅｅｎ  ＧＮＸ、ＢＡＳＦ  Ｉｒｇａｚｉｎｅ  ｒｅｄ  Ｌ３６３０、Ｃｉｎｑｕａｓｉａ  Ｒｅｄ  Ｌ  ４１００  ＨＤ、およびＩｒｇａｚｉｎ  Ｒｅｄ  Ｌ  ３６６０  ＨＤ、Ｓｕｎ  Ｃｈｅｍｉｃａｌ  フタロシアニンブルー、フタロシアニングリーン、ディアリライドイエロー、またはディアリライドＡＡＯＴイエローを含む。
【００１９】
色粒子は、赤色、緑色、青色、および黄色等の無機顔料でもあり得る。例は、限定ではないが、ＣＩ顔料青色２８、ＣＩ顔料緑色５０、およびＣＩ顔料黄色２２７を含み得る。
【００２０】
色に加えて、４つのタイプの粒子は、光学透過率、反射率、ルミネッセンス、または機械読み取りのために意図されたディスプレイの場合、可視範囲外の電磁波長の反射率の変化という意味の疑似色等の他の異なる光学特性を有し得る。
【００２１】
本発明のディスプレイ流体を利用するディスプレイ層は、２つの表面、すなわち、視認側の第１の表面（１３）と、第１の表面（１３）の反対側の第２の表面（１４）とを有する。ディスプレイ流体は、２つの表面の間に挟まれる。第１の表面（１３）側に、ディスプレイ層の上部全体に広がっている透明電極層（例えば、ＩＴＯ）である共通電極（１１）がある。第２の表面（１４）側に、複数のピクセル電極（１２ａ）を備えている電極層（１２）がある。
【００２２】
ピクセル電極は、米国特許第７，０４６，２２８号（その内容が、その全体として参照することによって本明細書に組み込まれる）に説明される。薄膜トランジスタ（ＴＦＴ）バックプレーンを伴うアクティブマトリクス駆動が、ピクセル電極の層に関して記述されるが、本発明の範囲は、電極が所望の機能を果たす限り、他のタイプの電極アドレッシングを包含することに留意されたい。
【００２３】
図１の２本の垂直点線の間の各空間は、ピクセルを表す。示されるように、各ピクセルは、対応するピクセル電極を有する。電場が、共通電極に印加される電圧と対応するピクセル電極に印加される電圧との間の電位差によって、ピクセルのために生成される。
【００２４】
４つのタイプの粒子が分散させられた溶媒は、透明かつ無色である。それは、好ましくは、高い粒子移動度のために、低い粘度と、約２〜約３０、好ましくは、約２〜約１５の範囲内の誘電率とを有する。好適な誘電溶媒の例は、Ｉｓｏｐａｒ（登録商標）、デカヒドロナフタレン（ＤＥＣＡＬＩＮ）、５−エチリデン−２−ノルボルネン、脂肪油、パラフィン油、シリコン流体等の炭化水素、トルエン、キシレン、フェニルキシリルエタン、ドデシルベンゼン、またはアルキルナフタレン等の芳香族炭化水素、ペルフルオロデカリン、ペルフルオロトルエン、ペルフルオロキシレン、ジクロロベンゾトリフルオリド、３，４，５−トリクロロベンゾトリフルオリド、クロロペンタフルオロ−ベンゼン、ジクロロノナン、またはペンタクロロベンゼン等のハロゲン化溶媒、および３Ｍ  Ｃｏｍｐａｎｙ（Ｓｔ．  Ｐａｕｌ  ＭＮ）からのＦＣ−４３、ＦＣ−７０、またはＦＣ−５０６０等のペルフルオロ化溶媒、ＴＣＩ  Ａｍｅｒｉｃａ（Ｐｏｒｔｌａｎｄ，Ｏｒｅｇｏｎ）からのポリ（ペルフルオロプロピレンオキシド）等のポリマーを含む低分子量ハロゲン、Ｈａｌｏｃａｒｂｏｎ  Ｐｒｏｄｕｃｔ  Ｃｏｒｐ．（Ｒｉｖｅｒ  Ｅｄｇｅ，ＮＪ）からのＨａｌｏｃａｒｂｏｎ  Ｏｉｌｓ等のポリ（クロロトリフルオロエチレン）、ＡｕｓｉｍｏｎｔからのＧａｌｄｅｎまたはＤｕＰｏｎｔ（Ｄｅｌａｗａｒｅ）からのＫｒｙｔｏｘ  ＯｉｌｓおよびＧｒｅａｓｅｓ  Ｋ−Ｆｌｕｉｄ  Ｓｅｒｉｅｓ等のペルフルオロポリアルキルエーテル、Ｄｏｗ−ｃｏｒｎｉｎｇ（ＤＣ−２００）からのポリジメチルシロキサン系シリコーン油を含む。
【００２５】
一実施形態では、「低電荷」粒子によって帯びられる電荷は、「高電荷」粒子によって帯びられる電荷の約５０％、好ましくは、約５％〜約３０％未満であり得る。別の実施形態では、「低電荷」粒子は、「高電荷」粒子によって帯びられる電荷の約７５％、または約１５％〜約５５％未満であり得る。さらなる実施形態では、示されるような電荷レベルの比較は、同一の電荷極性を有する２つのタイプの粒子に適用される。
【００２６】
電荷強度は、ゼータ電位の観点から測定され得る。一実施形態では、ゼータ電位は、ＣＳＰＵ−１００信号処理ユニット、ＥＳＡ  ＥＮ＃Ａｔｔｎ  フロースルーセル（Ｋ：１２７）を伴うＣｏｌｌｏｉｄａｌ  Ｄｙｎａｍｉｃｓ  ＡｃｏｕｓｔｏＳｉｚｅｒ  ＩＩＭによって決定される。サンプルで使用される溶媒の密度、溶媒の誘電率、溶媒中の音速、溶媒の粘度等の計器定数は、試験温度（２５℃）でのそれらの全てが、試験前に入力される。顔料サンプルは、（通常、１２個未満の炭素原子を有する炭化水素流体である）溶媒中に分散させられ、５〜１０重量％に希釈される。サンプルは、電荷制御剤対粒子の１：１０の重量比を伴う電荷制御剤（Ｂｅｒｋｓｈｉｒｅ  Ｈａｔｈａｗａｙの子会社であるＬｕｂｒｉｚｏｌ  Ｃｏｒｐｏｒａｔｉｏｎから入手可能である、Ｓｏｌｓｐｅｒｓｅ  １７０００（登録商標）、「Ｓｏｌｓｐｅｒｓｅ」は、登録商標である）も含む。希釈サンプルの質量が、決定され、次いで、サンプルが、ゼータ電位の決定のためにフロースルーセルの中に装填される。
【００２７】
「高正」粒子および「高負」粒子の振幅は、同じであることも、異なることもある。同様に、「低正」粒子および「低負」粒子の振幅は、同じであることも、異なることもある。
【００２８】
同じ流体において、２対の高・低電荷粒子が、異なるレベルの電荷差を有し得ることも留意されたい。例えば、一方の対では、低正電荷粒子は、高正電荷粒子の電荷強度の３０％である電荷強度を有し得、別の対では、低負電荷粒子は、高負電荷粒子の電荷強度の５０％である電荷強度を有し得る。
【００２９】
以下は、そのようなディスプレイ流体を利用するディスプレイデバイスを図示する、実施例である。
【００３０】
（実施例）
本実施例は、図２で実証される。高正粒子は、黒色（Ｋ）であり、高負粒子は、黄色（Ｙ）であり、低正粒子は、赤色（Ｒ）であり、低負粒子は、白色（Ｗ）である。
【００３１】
図２（ａ）では、高負電圧の電位差（例えば、−１５Ｖ）が、十分な長さの期間にわたってピクセルに印加されると、黄色粒子（Ｙ）が共通電極（２１）側まで押され、黒色粒子（Ｋ）がピクセル電極（２２ａ）側に引かれるようにする電場が生成される。赤色（Ｒ）および白色（Ｗ）粒子は、より弱い電荷を帯びているので、より高く帯電した黒色および黄色粒子より遅く移動し、結果として、それらは、赤色粒子の上方に白色粒子を伴って、ピクセルの中央に留まる。この場合、黄色が、視認側で見られる。
【００３２】
図２（ｂ）では、高正電圧の電位差（例えば、＋１５Ｖ）が、十分な長さの期間にわたってピクセルに印加されると、粒子分布が図２（ａ）に示されるそれと反対にするようにする反対極性の電場が生成され、結果として、黒色が、視認側で見られる。
【００３３】
図２（ｃ）では、より低い正電圧の電位差（例えば、＋３Ｖ）が、十分な長さの期間にわたって図２（ａ）のピクセルに印加される（すなわち、黄色状態から駆動される）と、黄色粒子（Ｙ）がピクセル電極（２２ａ）に向かって移動させられるようにする電場が生成される一方で、黒色粒子（Ｋ）は、共通電極（２１）に向かって移動する。しかしながら、それらがピクセルの中央で出会うとき、それらは、低い駆動電圧によって生成される電場が、それらの間の強い引力を克服するために十分に強くないので、大きく減速し、そこに留まる。他方で、低い駆動電圧によって生成される電場は、より弱い電荷を帯びた白色および赤色粒子を分離して、低正赤色粒子（Ｒ）を共通電極（２１）側（すなわち、視認側）まで、低負白色粒子（Ｗ）をピクセル電極（２２ａ）側まで移動させるために十分である。結果として、赤色が見られる。この図において、より弱い電荷を帯びた粒子（例えば、Ｒ）と反対極性のより強い電荷を帯びた粒子（例えば、Ｙ）との間にも引力があることにも留意されたい。しかしながら、これらの引力は、２つのタイプのより強い電荷を帯びた粒子（ＫおよびＹ）の間の引力ほど強くはなく、したがって、それらは、低い駆動電圧によって生成される電場によって克服され得る。換言すると、反対極性のより弱い電荷を帯びた粒子とより強い電荷を帯びた粒子とは、分離されることができる。
【００３４】
図２（ｄ）では、より低い負電圧の電位差（例えば、−３Ｖ）が、十分な長さの期間にわたって図２（ｂ）のピクセルに印加される（すなわち、黒色状態から駆動される）と、黒色粒子（Ｋ）がピクセル電極（２２ａ）に向かって移動させられるようにする電場が生成される一方で、黄色粒子（Ｙ）は、共通電極（２１）に向かって移動する。黒色および黄色粒子がピクセルの中央で出会うとき、低い駆動電圧によって生成される電場が、それらの間の強い引力を克服するために十分に強くないので、大きく減速し、そこに留まる。同時に、低い駆動電圧によって生成される電場は、白色および赤色粒子を分離して、低負白色粒子（Ｗ）を共通電極側（すなわち、視認側）まで、低正赤色粒子（Ｒ）をピクセル電極側まで移動させるために十分である。結果として、白色が見られる。この図において、より弱い電荷を帯びた粒子（例えば、Ｗ）と反対極性のより強い電荷を帯びた粒子（例えば、Ｋ）との間にも引力があることにも留意されたい。しかしながら、これらの引力は、２つのタイプのより強い電荷を帯びた粒子（ＫおよびＹ）間の引力ほど強くはなく、したがって、それらは、低い駆動電圧によって生成される電場によって克服され得る。換言すると、反対極性のより弱い電荷を帯びた粒子とより強い電荷を帯びた粒子とは、分離されることができる。
【００３５】
本実施例では、黒色粒子（Ｋ）は、高正電荷を帯び、黄色粒子（Ｙ）は、高負電荷を帯び、赤色（Ｒ）粒子は、低正電荷を帯び、白色粒子（Ｗ）は、低負電荷を帯びることが実証されるが、実践では、高正電荷または高負電荷、または、低正電荷または低負電荷を帯びる粒子は、任意の色であり得る。これらの変形例の全ては、本願の範囲内であることが意図される。
【００３６】
また、図２（ｃ）および２（ｄ）の色状態に到達するように印加されるより低い電圧の電位差は、高正粒子の色状態から低負粒子の色状態に、または逆も同様に、ピクセルを駆動するために要求される全駆動電圧の電位差の約５％〜約５０％であり得ることにも留意されたい。
【００３７】
上で説明されるような電気泳動流体は、ディスプレイセル内に充填される。ディスプレイセルは、米国特許第６，９３０，８１８号（その内容が、その全体として参照することによって本明細書に組み込まれる）に説明されるように、カップ状マイクロセルであり得る。ディスプレイセルは、それらの形状またはサイズにかかわらず、マイクロカプセル、マイクロチャネル等の他のタイプのマイクロコンテナであり得る。これらの全ては、本願の範囲内である。
【００３８】
色輝度および色純度の両方を確実にするために、１つの色状態から別の色状態に駆動することに先立って、振動波形が、使用され得る。振動波形は、多くのサイクルにわたって一対の反対駆動パルスを繰り返すことから成る。例えば、振動波形は、２０ミリ秒間の＋１５Ｖパルスおよび２０ミリ秒間の−１５Ｖパルスから成り得、そのような一対のパルスは、５０回繰り返される。そのような振動波形の合計時間は、２，０００ミリ秒であろう（図３参照）。
【００３９】
実践では、少なくとも１０回の繰り返しがあり得る（すなわち、１０対の正および負のパルス）。
【００４０】
振動波形は、駆動電圧が印加される前、光学状態（黒色、白色、赤色、または黄色）にかかわらず印加され得る。振動波形が印加された後、光学状態は、純白色、純黒色、純黄色、または純赤色ではないであろう。代わりに、色状態は、４つのタイプの顔料粒子の混合に由来するであろう。
【００４１】
振動波形における駆動パルスの各々は、本実施例では、完全黒色状態から完全黄色状態まで（または逆も同様）の要求される駆動時間の５０％を超えない（または３０％、１０％、もしくは５％を超えない）時間にわたって印加される。例えば、完全黒色状態から完全黄色状態まで（または逆も同様）ディスプレイデバイスを駆動するために３００ミリ秒かかる場合、振動波形は各々が１５０ミリ秒以下にわたって印加される、正および負のパルスから成ってもよい。実践では、パルスは、より短いことが好ましい。
【００４２】
説明されるような振動波形は、本発明の駆動方法で使用され得る。
【００４３】
本願の全体を通した図面の全てでは、振動波形が略して描かれている（すなわち、パルスの数が実際の数より少ない）ことに留意されたい。
【００４４】
加えて、本願との関連で、高い駆動電圧（ＶＨ１またはＶＨ２）は、高正粒子の色状態から高負粒子の色状態に（または逆も同様）ピクセルを駆動するために十分である駆動電圧として定義される（図２ａおよび２ｂ参照）。説明されるようなこのシナリオでは、低い駆動電圧（ＶＬ１またはＶＬ２）は、より弱い電荷を帯びた粒子の色状態からより高く帯電した粒子の色状態にピクセルを駆動するために十分であり得る駆動電圧として定義される（図２ｃおよび２ｄ参照）。
【００４５】
一般に、ＶＬ（例えば、ＶＬ１またはＶＬ２）の振幅は、ＶＨ（例えば、ＶＨ１またはＶＨ２）の振幅の５０％未満、または好ましくは、４０％未満である。
【００４６】
（第１の駆動方法：）
（部分Ａ：）
図４は、黄色状態（高負）から赤色状態（低正）にピクセルを駆動する駆動方法を図示する。方法では、高負駆動電圧（ＶＨ２、例えば、−１５Ｖ）が、振動波形後に黄色状態に向かってピクセルを駆動するように、ｔ２の期間にわたって印加される。黄色状態から、ピクセルは、ｔ３の期間にわたって低正電圧（ＶＬ１、例えば、＋５Ｖ）を印加すること（すなわち、図２ａから図２ｃにピクセルを駆動すること）によって、赤色状態に向かって駆動され得る。駆動期間ｔ２は、ＶＨ２が印加されているときにピクセルを黄色状態に駆動するために十分な期間であり、駆動期間ｔ３は、ＶＬ１が印加されているときにピクセルを赤色状態に駆動するために十分な期間である。駆動電圧は、好ましくは、ＤＣ平衡を確実にするように、振動波形の前にｔ１の期間にわたって印加される。「ＤＣ平衡」という用語は、本願の全体を通して、ある期間（例えば、波形全体の期間）にわたって積分されたとき、ピクセルに印加される駆動電圧が実質的にゼロであることを意味することを意図している。
【００４７】
（部分Ｂ：）
図５は、黒色状態（高正）から白色状態（低負）にピクセルを駆動する駆動方法を図示する。方法では、高正駆動電圧（ＶＨ１、例えば、＋１５Ｖ）が、振動波形後に黒色状態に向かってピクセルを駆動するように、ｔ５の期間にわたって印加される。黒色状態から、ピクセルは、ｔ６の期間にわたって低負電圧（ＶＬ２、例えば、−５Ｖ）を印加すること（すなわち、図２ｂから図２ｄにピクセルを駆動すること）によって、白色状態に向かって駆動され得る。駆動期間ｔ５は、ＶＨ１が印加されているときにピクセルを黒色状態に駆動するために十分な期間であり、駆動期間ｔ６は、ＶＬ２が印加されているときにピクセルを黒色状態から白色状態に駆動するために十分な期間である。駆動電圧は、好ましくは、ＤＣ平衡を確実にするように、振動波形の前にｔ４の期間にわたって印加される。
【００４８】
図４の波形全体は、ＤＣ平衡状態である。別の実施形態では、図５の波形全体は、ＤＣ平衡状態である。
【００４９】
第１の駆動方法は、以下のように要約され得る。
【００５０】
視認側の第１の表面と、非視認側の第２の表面と、電気泳動流体とを備えている電気泳動ディスプレイのための駆動方法であって、その流体は、共通電極とピクセル電極の層との間に挟まれ、それらの全てが溶媒または溶媒混合物中に分散させられた第１のタイプの粒子、第２のタイプの粒子、第３のタイプの粒子、および第４のタイプの粒子を備え、
（ａ）４つのタイプの顔料粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
方法は、以下のステップを含む：
（ｉ）第１の期間にわたって第１の駆動電圧を電気泳動ディスプレイ内のピクセルに印加し、視認側において第１または第２のタイプの粒子の色状態に向かってピクセルを駆動するステップ、
（ｉｉ）第２の期間にわたって第２の駆動電圧をピクセルに印加し、視認側において、第１のタイプの粒子の色状態から第４のタイプの粒子の色状態に向かって、または第２のタイプの粒子の色状態から第３のタイプの粒子の色状態に向かって、ピクセルを駆動するステップであって、第２の駆動電圧は、第１の駆動電圧のそれと反対の極性と、第１の駆動電圧のそれより低い振幅とを有する、ステップ。
【００５１】
（第２の駆動方法：）
（部分Ａ：）
本発明の第２の駆動方法が、図６に図示される。これは、図４のｔ３の駆動期間に取って代わるために使用される、駆動波形に関する。
【００５２】
最初のステップでは、高負駆動電圧（ＶＨ２、例えば、−１５Ｖ）が、視認側に向かって黄色粒子を押すように、ｔ７の期間にわたって印加され、その後、黄色粒子を引き下げ、視認側に向かって赤色粒子を押す、ｔ８の期間にわたる正駆動電圧（＋Ｖ’）が続く。
【００５３】
＋Ｖ’の振幅は、ＶＨ（例えば、ＶＨ１またはＶＨ２）のそれより低い。一実施形態では、＋Ｖ’の振幅は、ＶＨ（例えば、ＶＨ１またはＶＨ２）の振幅の５０％未満である。
【００５４】
一実施形態では、ｔ８は、ｔ７を上回る。一実施形態では、ｔ７は、２０〜４００ミリ秒の範囲内であり得、ｔ８は、≧２００ミリ秒であり得る。
【００５５】
図６の波形は、少なくとも２サイクル（Ｎ≧２）、好ましくは、少なくとも４サイクル、より好ましくは、少なくとも８サイクルにわたって繰り返される。赤色は、各駆動サイクル後により強くなる。
【００５６】
記述されるように、図６に示されるような駆動波形は、図４のｔ３の駆動期間に取って代わるために使用され得る（図７参照）。換言すると、駆動シーケンスは、振動波形、その後、ｔ２の期間にわたって黄色状態に向かって駆動することが続き、次いで、図６の波形を印加することであり得る。
【００５７】
別の実施形態では、ｔ２の期間にわたって黄色状態に駆動するステップは、排除され得、この場合、図６の波形を印加する前、振動波形が、印加される（図８参照）。
【００５８】
一実施形態では、図７の波形全体は、ＤＣ平衡状態である。別の実施形態では、図８の波形全体は、ＤＣ平衡状態である。
【００５９】
（部分Ｂ：）
図９は、図５のｔ６の駆動期間に取って代わるために使用される駆動波形を図示する。
【００６０】
最初のステップでは、高正駆動電圧（ＶＨ１、例えば、＋１５Ｖ）が、視認側に向かって黒色粒子を押すように、ｔ９の期間にわたって印加され、その後、黒色粒子を引き下げ、視認側に向かって白色粒子を押す、ｔ１０の期間にわたる負駆動電圧（−Ｖ’）が続く。
【００６１】
−Ｖ’の振幅は、ＶＨ（例えば、ＶＨ１またはＶＨ２）のそれより低い。一実施形態では、−Ｖ’の振幅は、ＶＨ（例えば、ＶＨ１またはＶＨ２）の振幅の５０％未満である。
【００６２】
一実施形態では、ｔ１０は、ｔ９を上回る。一実施形態では、ｔ９は、２０〜４００ミリ秒の範囲内であり得、ｔ１０は、≧２００ミリ秒であり得る。
【００６３】
図９の波形は、少なくとも２サイクル（Ｎ≧２）、好ましくは、少なくとも４サイクル、より好ましくは、少なくとも８サイクルにわたって繰り返される。白色は、各駆動サイクル後により強くなる。
【００６４】
記述されるように、図９に示されるような駆動波形は、図５のｔ６の駆動期間に取って代わるために使用され得る（図１０参照）。換言すると、駆動シーケンスは、振動波形、その後、ｔ５の期間にわたって黒色状態に向かって駆動することが続き、次いで、図９の波形を印加することであり得る。
【００６５】
別の実施形態では、ｔ５の期間にわたって黒色状態に駆動するステップは、排除され得、この場合、図９の波形を印加する前、振動波形が、印加される（図１１参照）。
【００６６】
一実施形態では、図１０の波形全体は、ＤＣ平衡状態である。別の実施形態では、図１１の波形全体は、ＤＣ平衡状態である。
【００６７】
本発明のこの第２の駆動方法は、以下のように要約され得る。
【００６８】
視認側の第１の表面と、非視認側の第２の表面と、電気泳動流体とを備えている電気泳動ディスプレイのための駆動方法であって、その流体は、共通電極とピクセル電極の層との間に挟まれ、全てが溶媒または溶媒混合物中に分散させられた第１のタイプの粒子、第２のタイプの粒子、第３のタイプの粒子、および第４のタイプの粒子を備え、
（ａ）４つのタイプの顔料粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
方法は、以下のステップを含む：
（ｉ）第１の期間にわたって第１の駆動電圧を電気泳動ディスプレイ内のピクセルに印加し、視認側において第１または第２のタイプの粒子の色状態に向かってピクセルを駆動するステップ、
（ｉｉ）第２の期間にわたって第２の駆動電圧をピクセルに印加し、視認側において、第１のタイプの粒子の色状態から第４のタイプの粒子の色状態に向かって、または第２のタイプの粒子の色状態から第３のタイプの粒子の色状態に向かって、ピクセルを駆動するステップであって、第２の期間は、第１の期間より長く、第２の駆動電圧は、第１の駆動電圧のそれと反対の極性を有し、第２の駆動電圧は、第１の駆動電圧のそれより低い振幅を有する、ステップ、
ステップ（ｉ）および（ｉｉ）を繰り返すステップ。
【００６９】
一実施形態では、第２の駆動電圧の振幅は、第１の駆動電圧の振幅の５０％未満である。一実施形態では、ステップ（ｉ）および（ｉｉ）は、少なくとも２回、好ましくは、少なくとも４回、より好ましくは、少なくとも８回繰り返される。一実施形態では、方法は、ステップ（ｉ）の前に振動波形をさらに含む。一実施形態では、方法は、振動波形の後であるが、ステップ（ｉ）に先立って、ピクセルを第１または第２のタイプの粒子の色状態に駆動するステップをさらに含む。
【００７０】
（第３の駆動方法：）
（部分Ａ：）
本発明の第２の駆動方法が、図１２に図示される。それは、同様に、図４のｔ３の駆動期間に取って代わるために使用され得る図６の駆動波形の代替に関する。
【００７１】
本代替波形では、待ち時間ｔ１３が追加される。待ち時間中、いかなる駆動電圧も印加されない。図１２の波形全体も、少なくとも２回（Ｎ≧２）、好ましくは、少なくとも４回、より好ましくは、少なくとも８回繰り返される。
【００７２】
図１２の波形は、特に、例えば、低温において、誘電体層の抵抗が高いとき、電気泳動ディスプレイデバイス内の誘電体層の中および／または異なる材料層間の界面において貯蔵された電荷非平衡を放出するために設計される。
【００７３】
本願との関連で、用語「低温」は、約１０℃を下回る温度を指す。
【００７４】
待ち時間は、おそらく、誘電体層の中に貯蔵された不要な電荷を放散し、黄色状態に向かってピクセルを駆動するための短いパルス（ｔ１１）および赤色状態に向かってピクセルを駆動するためのより長いパルス（ｔ１２）がより効率的であるようにすることができるであろう。結果として、本代替駆動方法は、より高く帯電した粒子からの低く帯電した顔料粒子のより良好な分離をもたらすであろう。
【００７５】
期間ｔ１１およびｔ１２は、それぞれ、図６のｔ７およびｔ８に類似する。換言すると、ｔ１２は、ｔ１１より長い。待ち時間（ｔ１３）は、誘電体層の抵抗に応じて、５〜５，０００ミリ秒の範囲内であり得る。
【００７６】
記述されるように、図１２に示されるような駆動波形も、図４のｔ３の駆動期間に取って代わるために使用され得る（図１３参照）。換言すると、駆動シーケンスは、振動波形、その後、ｔ２の期間にわたって黄色状態に向かって駆動することが続き、次いで、図１２の波形を印加することであり得る。
【００７７】
別の実施形態では、ｔ２の期間にわたって黄色状態に駆動するステップは、排除され得、この場合、図１２の波形を印加する前、振動波形が、印加される（図１４参照）。
【００７８】
一実施形態では、図１３の波形全体は、ＤＣ平衡状態である。別の実施形態では、図１４の波形全体は、ＤＣ平衡状態である。
【００７９】
（部分Ｂ：）
図１５は、同様に、図５のｔ６の駆動期間に取って代わるために使用され得る図９の駆動波形の代替を図示する。
【００８０】
本代替波形では、待ち時間ｔ１６が追加される。待ち時間中、いかなる駆動電圧も印加されない。図１５の波形全体も、少なくとも２回（Ｎ≧２）、好ましくは、少なくとも４回、より好ましくは、少なくとも８回繰り返される。
【００８１】
図１２の波形のように、図１５の波形も、電気泳動ディスプレイデバイス内の誘電体層の中および／または異なる材料層間の界面において貯蔵された電荷非平衡を放出するために設計される。上記のように、待ち時間は、おそらく、誘電体層の中に貯蔵された不要な電荷を放散し、黒色状態に向かってピクセルを駆動するための短いパルス（ｔ１４）および白色状態に向かってピクセルを駆動するためのより長いパルス（ｔ１５）がより効率的であるようにすることができるであろう。
【００８２】
期間ｔ１４およびｔ１５は、それぞれ、図９のｔ９およびｔ１０に類似する。換言すると、ｔ１５は、ｔ１４を上回る。待ち時間（ｔ１６）も、誘電体層の抵抗に応じて、５〜５，０００ミリ秒の範囲内であり得る。
【００８３】
記述されるように、図１５に示されるような駆動波形も、図５のｔ６の駆動期間に取って代わるために使用され得る（図１６参照）。換言すると、駆動シーケンスは、振動波形、その後、ｔ５の期間にわたって黒色状態に向かって駆動することが続き、次いで、図１５の波形を印加することであり得る。
【００８４】
別の実施形態では、ｔ５の期間にわたって黒色状態に駆動するステップは、排除され得、この場合、図１５の波形を印加する前、振動波形が、印加される（図１７参照）。
【００８５】
一実施形態では、図１６の波形全体は、ＤＣ平衡状態である。別の実施形態では、図１７の波形全体は、ＤＣ平衡状態である。
【００８６】
本発明の第３の駆動方法は、したがって、以下のように要約され得る。
【００８７】
視認側の第１の表面と、非視認側の第２の表面と、電気泳動流体とを備えている電気泳動ディスプレイのための駆動方法であって、その流体は、共通電極とピクセル電極の層との間に挟まれ、全てが溶媒または溶媒混合物中に分散させられた第１のタイプの粒子、第２のタイプの粒子、第３のタイプの粒子、および第４のタイプの粒子を備え、
（ａ）４つのタイプの顔料粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
方法は、以下のステップを含む：
（ｉ）第１の期間にわたって第１の駆動電圧を電気泳動ディスプレイ内のピクセルに印加し、視認側において第１のタイプまたは第２のタイプの粒子の色状態に向かってピクセルを駆動するステップ、
（ｉｉ）第２の期間にわたって第２の駆動電圧をピクセルに印加し、視認側において、第１のタイプの粒子の色状態から第４のタイプの粒子の色状態に向かって、または第２のタイプの粒子の色状態から第３のタイプの粒子の色状態に向かって、ピクセルを駆動するステップであって、第２の期間は、第１の期間より長く、第２の駆動電圧は、第１の駆動電圧のそれと反対の極性を有し、第２の駆動電圧は、第１の駆動電圧のそれより低い振幅を有する、ステップ、
（ｉｉｉ）第３の期間にわたっていかなる駆動電圧もピクセルに印加しないステップ、
ステップ（ｉ）−（ｉｉｉ）を繰り返すステップ。
【００８８】
一実施形態では、第２の駆動電圧の振幅は、第１の駆動電圧の振幅の５０％未満である。一実施形態では、ステップ（ｉ）、（ｉｉ）、および（ｉｉｉ）は、少なくとも２回、好ましくは、少なくとも４回、より好ましくは、少なくとも８回繰り返される。一実施形態では、方法は、ステップ（ｉ）の前に振動波形をさらに含む。一実施形態では、方法は、振動波形の後であるが、ステップ（ｉ）に先立って、第１または第２のタイプの粒子のフルカラー状態に駆動するステップをさらに含む。
【００８９】
本願で参照される駆動期間のうちのいずれかの長さは、温度依存性であり得ることに留意されたい。
【００９０】
（第４の駆動方法：）
（部分Ａ：）
本発明の第４の駆動方法が、図１８に図示される。これは、同様に、図４のｔ３の駆動期間に取って代わるために使用され得る駆動波形に関する。
【００９１】
最初のステップでは、高負駆動電圧（ＶＨ２、例えば、−１５Ｖ）が、ｔ７の期間にわたってピクセルに印加され、その後、ｔ１８の待ち時間が続く。待ち時間後、正駆動電圧（＋Ｖ’、例えば、ＶＨ１またはＶＨ２の５０％未満）が、ｔ１９の期間にわたってピクセルに印加され、その後、ｔ２０の第２の待ち時間が続く。図１８の波形は、少なくとも２回、好ましくは、少なくとも４回、より好ましくは、少なくとも８回繰り返される。上で説明されるような用語「待ち時間」は、いかなる駆動電圧も印加されない期間を指す。
【００９２】
図１８の波形では、第１の待ち時間ｔ１８が、非常に短い一方で、第２の待ち時間ｔ２０は、より長い。ｔ１７の期間は、ｔ１９の期間より短い。例えば、ｔ１７は、２０〜２００ミリ秒の範囲内であり得、ｔ１８は、１００ミリ秒未満であり得、ｔ１９は、１００〜２００ミリ秒の範囲内であり得、ｔ２０は、１，０００ミリ秒未満であり得る。
【００９３】
図１９は、図４および図１８の組み合わせである。図４では、黄色状態が、ｔ２の期間中に表示される。一般的な法則として、この期間内の黄色状態が良好であるほど、最終的に表示されるであろう赤色状態が良好であろう。
【００９４】
一実施形態では、ｔ２の期間にわたって黄色状態に駆動するステップは、排除され得、この場合、図１８の波形を印加する前、振動波形が、印加される（図２０参照）。
【００９５】
一実施形態では、図１９の波形全体は、ＤＣ平衡状態である。別の実施形態では、図２０の波形全体は、ＤＣ平衡状態である。
【００９６】
（部分Ｂ：）
図２１は、同様に、図５のｔ６の駆動期間に取って代わるために使用され得る駆動波形を図示する。
【００９７】
最初のステップでは、高正駆動電圧（ＶＨ１、例えば、＋１５Ｖ）が、ｔ２１の期間にわたってピクセルに印加され、その後、ｔ２２の待ち時間が続く。待ち時間後、負駆動電圧（−Ｖ’、例えば、ＶＨ１またはＶＨ２の５０％未満）が、ｔ２３の期間にわたってピクセルに印加され、その後、ｔ２４の第２の待ち時間が続く。図２１の波形も、少なくとも２回、好ましくは、少なくとも４回、より好ましくは、少なくとも８回繰り返され得る。
【００９８】
図２１の波形では、第１の待ち時間ｔ２２が、非常に短い一方で、第２の待ち時間ｔ２４は、より長い。ｔ２１の期間も、ｔ２３の期間より短い。例えば、ｔ２１は、２０〜２００ミリ秒の範囲内であり得、ｔ２２は、１００ミリ秒未満であり得、ｔ２３は、１００〜２００ミリ秒の範囲内であり得、ｔ２４は、１，０００ミリ秒未満であり得る。
【００９９】
図２２は、図５および図２１の組み合わせである。図５では、黒色状態が、ｔ５の期間中に表示される。一般的な法則として、この期間内の黒色状態が良好であるほど、最終的に表示されるであろう白色状態が良好であろう。
【０１００】
一実施形態では、ｔ５の期間にわたって黒色状態に駆動するステップは、排除され得、この場合、図２１の波形を印加する前、振動波形が、印加される（図２３参照）。
【０１０１】
一実施形態では、図２２の波形全体は、ＤＣ平衡状態である。別の実施形態では、図２３の波形全体は、ＤＣ平衡状態である。
【０１０２】
本発明の第４の駆動方法は、以下のように要約され得る。
【０１０３】
視認側の第１の表面と、非視認側の第２の表面と、電気泳動流体とを備えている電気泳動ディスプレイを駆動する駆動方法であって、その流体は、共通電極とピクセル電極の層との間に挟まれ、全てが溶媒または溶媒混合物中に分散させられた第１のタイプの粒子、第２のタイプの粒子、第３のタイプの粒子、および第４のタイプの粒子を備え、
（ａ）４つのタイプの顔料粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
方法は、以下のステップを含む：
（ｉ）第１の期間にわたって第１の駆動電圧を電気泳動ディスプレイ内のピクセルに印加し、視認側において第１のタイプまたは第２のタイプの粒子の色状態に向かってピクセルを駆動するステップ、
（ｉｉ）第２の期間にわたっていかなる駆動電圧もピクセルに印加しないステップ、
（ｉｉｉ）第３の期間にわたって第２の駆動電圧をピクセルに印加し、視認側において、第１のタイプの粒子の色状態から第４のタイプの粒子の色状態に向かって、または第２のタイプの粒子の色状態から第３のタイプの粒子の色状態に向かって、ピクセルを駆動するステップであって、第３の期間は、第１の期間より長く、第２の駆動電圧は、第１の駆動電圧のそれと反対の極性を有し、第２の駆動電圧は、第１の駆動電圧のそれより低い振幅を有する、ステップ、
（ｉｖ）第４の期間にわたっていかなる駆動電圧もピクセルに印加しないステップ、
ステップ（ｉ）−（ｉｖ）を繰り返すステップ。
【０１０４】
一実施形態では、第２の駆動電圧の振幅は、第１の駆動電圧の振幅の５０％未満である。一実施形態では、ステップ（ｉ）−（ｉｖ）は、少なくとも２回、好ましくは、少なくとも４回、より好ましくは、少なくとも８回繰り返される。一実施形態では、方法は、ステップ（ｉ）の前に振動波形をさらに含む。一実施形態では、方法は、振動波形の後であるが、ステップ（ｉ）に先立って、ピクセルを第１または第２のタイプの粒子の色状態に駆動するステップをさらに含む。
【０１０５】
この駆動方法は、低温において特に効果的であるだけではなく、ディスプレイデバイスの製造中に引き起こされる構造変動のより良好な耐性をディスプレイデバイスに提供することもできる。したがって、有用性は、低温駆動に限定されない。
【０１０６】
（第５の駆動方法：）
（部分Ａ：）
この駆動方法は、黄色状態（高負）から赤色状態（低正）へのピクセルの低温駆動のために特に好適である。
【０１０７】
図２４に示されるように、低負駆動電圧（−Ｖ’）が、最初に、ｔ２５の期間にわたって印加され、その後、ｔ２６の期間にわたって低正駆動電圧（＋Ｖ”）が続く。シーケンスが繰り返されるので、２つの駆動電圧間にｔ２７の待ち時間もある。そのような波形は、少なくとも２回（Ｎ’≧２）、好ましくは、少なくとも４回、より好ましくは、少なくとも８回繰り返され得る。
【０１０８】
ｔ２５の期間は、ｔ２６の期間より短い。ｔ２７の期間は、０〜２００ミリ秒の範囲内であり得る。
【０１０９】
駆動電圧Ｖ’およびＶ”の振幅は、ＶＨ（例えば、ＶＨ１またはＶＨ２）の振幅の５０％未満であり得る。Ｖ’の振幅がＶ”の振幅と同じであることも、異なることもあることにも留意されたい。
【０１１０】
図２４の駆動波形が図１９および２０の波形と併せて印加されているときに最も効果的であることも分かっている。２つの駆動波形の組み合わせは、それぞれ、図２５および２６に示される。
【０１１１】
一実施形態では、図２５の波形全体は、ＤＣ平衡状態である。別の実施形態では、図２６の波形全体は、ＤＣ平衡状態である。
【０１１２】
（部分Ｂ：）
この駆動方法は、黒色状態（高正）から白色状態（低負）へのピクセルの低温駆動のために特に好適である。
【０１１３】
図２７に示されるように、低正駆動電圧（＋Ｖ’）が、最初に、ｔ２８の期間にわたって印加され、その後、ｔ２９の期間にわたって低負駆動電圧（−Ｖ”）が続く。シーケンスが繰り返されるので、２つの駆動電圧間にｔ３０の待ち時間もある。そのような波形は、少なくとも２回（Ｎ’≧２）、好ましくは、少なくとも４回、より好ましくは、少なくとも８回繰り返され得る。
【０１１４】
ｔ２８の期間は、ｔ２９の期間より短い。ｔ３０の期間は、０〜２００ミリ秒の範囲内であり得る。
【０１１５】
駆動電圧Ｖ’およびＶ”の振幅は、ＶＨ（例えば、ＶＨ１またはＶＨ２）の振幅の５０％未満であり得る。Ｖ’の振幅がＶ”の振幅と同じであることも、異なることもあることにも留意されたい。
【０１１６】
図２７の駆動波形が図２２および２３の波形と併せて印加されているときに最も効果的であることも分かっている。２つの駆動波形の組み合わせは、それぞれ、図２８および２９に示される。
【０１１７】
一実施形態では、図２８の波形全体は、ＤＣ平衡状態である。別の実施形態では、図２９の波形全体は、ＤＣ平衡状態である。
【０１１８】
第５の駆動方法は、以下のように要約されることができる。
【０１１９】
視認側の第１の表面と、非視認側の第２の表面と、電気泳動流体とを備えている電気泳動ディスプレイのための駆動方法であって、その流体は、共通電極とピクセル電極の層との間に挟まれ、全てが溶媒または溶媒混合物中に分散させられた第１のタイプの粒子、第２のタイプの粒子、第３のタイプの粒子、および第４のタイプの粒子を備え、
（ａ）４つのタイプの顔料粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
方法は、以下のステップを含む：
（ｉ）第１の期間にわたって第１の駆動電圧を電気泳動ディスプレイ内のピクセルに印加し、視認側において第１のタイプまたは第２のタイプの粒子の色状態に向かってピクセルを駆動するステップ、
（ｉｉ）第２の期間にわたっていかなる駆動電圧もピクセルに印加しないステップ、
（ｉｉｉ）第３の期間にわたって第２の駆動電圧をピクセルに印加し、視認側において、第１のタイプの粒子の色状態から第４のタイプの粒子の色状態に向かって、または第２のタイプの粒子の色状態から第３のタイプの粒子の色状態に向かって、ピクセルを駆動するステップであって、第３の期間は、第１の期間より長く、第２の駆動電圧は、第１の駆動電圧のそれと反対の極性を有し、第２の駆動電圧は、第１の駆動電圧のそれより低い振幅を有する、ステップ、
（ｉｖ）第４の期間にわたっていかなる駆動電圧もピクセルに印加しないステップと、
ステップ（ｉ）−（ｉｖ）を繰り返すステップ、
（ｖ）第５の期間にわたって第３の駆動電圧をピクセルに印加するステップであって、第３の駆動電圧は、第１の駆動電圧のものと同一の極性を有する、ステップ、
（ｖｉ）、第６の期間にわたって第４の駆動電圧をピクセルに印加し、視認側において、第１のタイプの粒子の色状態から第４のタイプの粒子の色状態に向かって、または第２のタイプの粒子の色状態から第３のタイプの粒子の色状態に向かって、ピクセルを駆動するステップであって、第５の期間は、第６の期間より短く、第４の駆動電圧は、第１の駆動電圧のそれと反対の極性を有する、ステップ、
（ｖｉｉ）第７の期間にわたっていかなる駆動電圧もピクセルに印加しないステップ、
ステップ（ｖ）−（ｖｉｉ）を繰り返すステップ。
【０１２０】
一実施形態では、第３の駆動電圧および第４の駆動電圧の両方の振幅は、第１の駆動電圧の振幅の５０％未満である。一実施形態では、ステップ（ｖ）−（ｖｉｉ）は、少なくとも２回、好ましくは、少なくとも４回、より好ましくは、少なくとも８回繰り返される。
【０１２１】
（第６の駆動方法）
図３０および３１は、本発明の代替駆動方法を図示する。方法は、ピクセルを所望の色状態に駆動することに先立つ「リセット」または「予調整」とも見なされ得る。
【０１２２】
図３０の振動波形は、３つの部分、（ｉ）第１の状態（黄色）に駆動することと、（ｉｉ）短い期間ｔ１にわたって第２の（黒色）粒子のものと同一の極性を有する駆動電圧（ＶＨ１、例えば、＋１５Ｖ）を印加することであって、ｔ１は、第１の（黄色）状態から第２の（黒色）状態に駆動するために十分に長くなく、暗黄色状態をもたらす、ことと、（ｉｉｉ）振動することとを含む。
【０１２３】
図３１の波形は、図３０の補完的波形であり、３つの部分、（ｉ）第２の状態（黒色）に駆動することと、（ｉｉ）短い期間ｔ２にわたって第２の（黄色）粒子のものと同一の極性を有する駆動電圧（ＶＨ２、例えば、−１５Ｖ）を印加することであって、ｔ２は、第２の（黒色）状態から第１の（黄色）状態に駆動するために十分に長くなく、暗黄色状態をもたらす、ことと、（ｉｉｉ）振動することとを含む。
【０１２４】
ｔ１またはｔ２の長さは、（図３０および３１のリセットおよび予調整波形後の）駆動される最終色状態のみならず、最終色状態の所望の光学性能（例えば、ａ＊、ΔＬ＊、およびΔａ＊）にも依存する。例えば、図３０の波形におけるｔ１が４０ミリ秒であり、ピクセルが、それらが赤色、黒色、黄色、または白色に駆動されるかどうかにかかわらず、第３の（白色）状態に駆動されるとき、わずかな残影が存在する。同様に、ｔ１が６０ミリ秒であり、ピクセルが、それらが赤色、黒色、黄色、または白色に駆動されるかどうかにかかわらず、第２の（黒色）状態に駆動されるとき、わずかな残影が存在する。
【０１２５】
振動波形は、多くのサイクルにわたって、一対の反対駆動パルスを繰り返すことから成る。例えば、振動波形は、２０ミリ秒間の＋１５Ｖパルスおよび２０ミリ秒間の−１５Ｖパルスから成り得、そのような一対のパルスは、５０回繰り返される。そのような振動波形の合計時間は、２，０００ミリ秒であろう。
【０１２６】
振動波形内の駆動パルスの各々は、完全黒色状態から完全白色状態に（または逆も同様に）駆動するために要求される駆動時間の半分を超えない時間にわたって印加される。例えば、完全黒色状態から完全黄色状態まで（または逆も同様に）ピクセルを駆動するために３００ミリ秒かかる場合、振動波形は、各々が１５０ミリ秒以下にわたって印加される正および負のパルスから成り得る。実践では、パルスは、より短いことが好ましい。
【０１２７】
図３０および３１では、振動波形が略して描かれている（すなわち、パルスの数が実際の数より少ない）ことに留意されたい。
【０１２８】
振動が完了した後、４つのタイプの粒子が、ディスプレイ流体中で混合状態であるはずである。
【０１２９】
図３０または３１の「リセット」または「予調整」が完了した後、ピクセルが、次いで、所望の色状態（例えば、黒色、赤色、黄色、または白色）に駆動される。例えば、正パルスが、ピクセルを黒色に駆動するように印加され得る負パルスが、ピクセルを黄色に駆動するように印加され得るより低い振幅の正パルスが後に続く負パルスが、ピクセルを白色に駆動するように印加され得るか、または、より低い振幅の負パルスが後に続く正パルスが、ピクセルを赤色に駆動するように印加され得る。
【０１３０】
本発明の「リセット」または「予調整」の有無別の駆動方法を比較するとき、本発明の「リセット」または「予調整」を伴う方法は、同一レベルの光学性能（残影を含む）を達成することにおいてより短い波形時間という追加利点を有する。
【０１３１】
本発明の駆動方法は、以下のように要約されることができる。
【０１３２】
電気泳動ディスプレイのピクセルを駆動する駆動方法であって、電気泳動ディスプレイは、視認側の第１の表面と、非視認側の第２の表面と、第１の光透過性電極と第２の電極との間に配置された電気泳動流体を備え、電気泳動流体は、全てが溶媒中に分散させられた第１のタイプの粒子、第２のタイプの粒子、第３のタイプの粒子、および第４のタイプの粒子を備え、
（ａ）４つのタイプの顔料粒子は、異なる光学特性を有し、
（ｂ）第１のタイプの粒子および第３のタイプの粒子は、正電荷を帯びており、第１のタイプの粒子は、第３の粒子より大きい正電荷の規模を有し、
（ｃ）第２のタイプの粒子および第４のタイプの粒子は、負電荷を帯びており、第２のタイプの粒子は、第４の粒子より大きい負電荷の規模を有し、
方法は、
（ｉ）第１の振幅において第１の期間にわたって第１の駆動電圧を電気泳動ディスプレイのピクセルに印加し、視認側において第１または第２のタイプの粒子の色状態にピクセルを駆動するステップと、
（ｉｉ）第２の期間にわたって第２の駆動電圧を電気泳動ディスプレイのピクセルに印加するステップであって、第２の駆動電圧は、第１の駆動電圧のそれと反対の極性と、第１の振幅のものより小さい第２の振幅とを有し、第２の期間は、視認側においてピクセルを第２のタイプの粒子の色状態に駆動するために十分に長くない、または第１の駆動電圧がピクセルを第２のタイプの粒子の色状態に駆動するとき、第２の期間は、視認側においてピクセルを第１のタイプの粒子の色状態に駆動するために十分に長くない、ステップと、
振動波形を印加するステップと
を含む。
【０１３３】
本発明は、その具体的実施形態を参照して説明されたが、本発明の範囲から逸脱することなく、種々の変更が行われ得、均等物が代用され得ることが、当業者によって理解されるべきである。加えて、特定の状況、材料、組成物、プロセス、１つまたは複数のプロセスステップを本発明の目的および範囲に適合させるように、多くの修正が行われ得る。全てのそのような修正は、本明細書に添付される請求項の範囲内であることを意図されている。
【図１】
0006967147.tif 000002
【図２−１】
0006967147.tif 000003
【図２−２】
0006967147.tif 000004
【図２−３】
0006967147.tif 000005
【図３】
0006967147.tif 000006
【図４】
0006967147.tif 000007
【図５】
0006967147.tif 000008
【図６】
0006967147.tif 000009
【図７】
0006967147.tif 000010
【図８】
0006967147.tif 000011
【図９】
0006967147.tif 000012
【図１０】
0006967147.tif 000013
【図１１】
0006967147.tif 000014
【図１２】
0006967147.tif 000015
【図１３】
0006967147.tif 000016
【図１４】
0006967147.tif 000017
【図１５】
0006967147.tif 000018
【図１６】
0006967147.tif 000019
【図１７】
0006967147.tif 000020
【図１８】
0006967147.tif 000021
【図１９】
0006967147.tif 000022
【図２０】
0006967147.tif 000023
【図２１】
0006967147.tif 000024
【図２２】
0006967147.tif 000025
【図２３】
0006967147.tif 000026
【図２４】
0006967147.tif 000027
【図２５】
0006967147.tif 000028
【図２６】
0006967147.tif 000029
【図２７】
0006967147.tif 000030
【図２８】
0006967147.tif 000031
【図２９】
0006967147.tif 000032
【図３０】
0006967147.tif 000033
【図３１】
0006967147.tif 000034